(57)【要約】【課題】端子同士の接続信頼性を確保しつつ、メッキ処理のコストの増加を抑える。【解決手段】  雄端子５０と嵌合される雌端子１０であって、上下方向に対向する天井壁１４と底壁２１とを有し、雄端子５０が挿入され、前後方向に開口する箱状の雌側本体部１２と、雌側本体部１２の天井壁１４と底壁２１との間に設けられ雄端子５０に天井壁１４側から接触して接圧を付与する接圧付与部１６と、雌側本体部１２の天井壁１４と接圧付与部１６との間に挿入されることで、接圧付与部１６を底壁２１側に変位させる増圧板３０とを備える。【選択図】図８
2018181612.tif 000002
【特許請求の範囲】
【請求項１】
雄端子と嵌合される雌端子であって、
上下方向に対向する天井壁と底壁とを有し、前記雄端子が挿入され、前後方向に開口する箱状の雌側本体部と、
前記雌側本体部の前記天井壁と前記底壁との間に設けられ前記雄端子に前記天井壁側から接触して接圧を付与する接圧付与部と、
前記雌側本体部の前記天井壁と前記接圧付与部との間に挿入されることで、前記接圧付与部を前記底壁側に変位させる増圧板とを備える雌端子。
【請求項２】
前記接圧付与部は、前記雌側本体部の前記天井壁の後端部から前方に延びて片持ち状に形成されており、
前記増圧板は、前記雌側本体部の前方より挿入される請求項１に記載の雌端子。
【請求項３】
前記接圧付与部は、前記雄端子に接触する接点部と、前記天井壁に連なる基端部と、前記接点部と前記基端部を接続する後側傾斜部とを有し、
前記増圧板の端部が前記後側傾斜部に摺動することで、前記接圧付与部を前記底壁側に変位させる請求項２に記載の雌端子。
【請求項４】
前記増圧板の底面は、後方に向けてテーパー状をなしており、
前記接圧付与部は、前記雄端子に接触する接点部と、前記接点部から前方に向けて上方に傾斜する前側傾斜部とを有しており、
前記増圧板の前記底面が前記接圧付与部の前記前側傾斜部の先端部に摺動することで、前記接圧付与部を前記底壁側に変位させる請求項２に記載の雌端子。
【発明の詳細な説明】
【技術分野】
【０００１】
本明細書によって開示される技術は、雌端子に関する。
【背景技術】
【０００２】
従来の雌端子の一例として、特開２０１４−５３２０５号（下記特許文献１）に記載のメス端子が知られている。このメス端子は、板金をプレス加工、及び曲げ加工をして作られている。さらに、加工されたメス端子に対して、メッキ処理が施されている。メス端子は、オスタブ端子が挿入される角筒形のボックス部と、ボックス部の後側に電線の導体が圧着される導体圧着部とを有している。ボックス部の内部には、板バネと、タブ受部とが備えられている。板バネは、ボックス部の内部の上壁に設けられ、オスタブ端子と弾性的に接触する。タブ受部は、ボックス部の内部の下壁に設けられ、オスタブ端子と接触する。
【０００３】
オスタブ端子は、板金をプレス加工、及び曲げ加工して作られている。さらに、加工されたオスタブ端子に対して、メッキ処理が施されている。オスタブ端子は、棒状をなすオス側本体部を有している。
【０００４】
オス側本体部がメス端子のボックス部の内部に挿入されると、オス側本体部は板バネとタブ受部の間に挟まれる。これにより、オスタブ端子とメス端子とは弾性的に接触し、電気的に接続される。
【先行技術文献】
【特許文献】
【０００５】
【特許文献１】特開２０１４−５３２０５号公報
【発明の概要】
【発明が解決しようとする課題】
【０００６】
オスタブ端子をメス端子のボックス部に挿入する際、オスタブ端子のオス側本体部は、ボックス部の内部の板バネに弾性的に押さえつけられながら挿入されるため、オスタブ端子とメス端子との接触部では、オスタブ端子及びメス端子に施されたメッキが摩耗する。特に、オスタブ端子を多挿抜させる必要がある場合、メッキの摩耗が増大することとなる。このようなメッキの摩耗を防ぐためには、一般的に、メス端子の板バネの接圧を下げるか、又はメッキ厚を厚くする必要がある。しかしながら、メス端子の板バネの接圧を下げた場合、端子同士の接続信頼性が低下する。そのため、振動等により、端子同士の接続不良が生じやすくなるという問題があった。また、板バネの接圧を下げずに、メッキ厚を厚くした場合、メッキ処理のコストが増加するという問題があった。このように端子同士の接続信頼性を確保しつつメッキ処理のコストの増加を抑えることは困難であった。
【課題を解決するための手段】
【０００７】
本明細書で開示される雌端子は、雄端子と嵌合される雌端子であって、上下方向に対向する天井壁と底壁とを有し、前記雄端子が挿入され、前後方向に開口する箱状の雌側本体部と、前記雌側本体部の前記天井壁と前記底壁との間に設けられ前記雄端子に前記天井壁側から接触して接圧を付与する接圧付与部と、前記雌側本体部の前記天井壁と前記接圧付与部との間に挿入されることで、前記接圧付与部を前記底壁側に変位させる増圧板とを備える。
このような構成にすると、増圧板の挿入前は、接圧付与部は底壁側に変位されていないため、雄端子は、接圧付与部が雄端子に付与する接圧が低い状態又は接圧が無い状態で、雌側本体部の内部に挿入される。そのため、雄端子の雌側本体部の内部への挿入時に、雄端子が接圧付与部に摺動して雄端子及び雌端子に施されたメッキが摩耗することを防ぐことができる。また、雄端子を雌側本体部の内部に挿入する際の挿入力が低減することで、端子挿入の作業性を向上させることができる。
また、雄端子を雌側本体部の内部に挿入後に増圧板を雌側本体部の内部に挿入することで、接圧付与部を底壁側に変位させて雄端子に付与する接圧を高い状態にすることができる。よって、振動等により雄端子と雌端子との間で接続不良が起きることを防ぐことができる。
また、雄端子を雌側本体部の内部から離脱させる場合は、雄端子の離脱開始前に増圧板を雌側本体部の天井壁と接圧付与部との間から引き抜くことで、雄端子に付与する接圧が低い状態又は接圧が無い状態にしておき、もって雄端子の離脱時に雄端子が接圧付与部に摺動して雄端子及び雌端子に施されたメッキが摩耗することを防ぐことができる。
【０００８】
また、前記接圧付与部は、前記雌側本体部の前記天井壁の後端部から前方に延びて片持ち状に形成されており、前記増圧板は、前記雌側本体部の前方より挿入されることとしても良い。
このような構成にすると、増圧板が前方から挿入されるようにしたから、雄端子が保持された雄ハウジングを雌端子が保持された雌ハウジングに嵌合させる作業に続けて増圧板の挿入を行うことができる。また、雌側本体部と接圧付与部が一体となるので、雌端子のコストの削減ができる。
【０００９】
また、前記接圧付与部は、前記雄端子に接触する接点部と、前記天井壁に連なる基端部と、前記接点部と前記基端部を接続する後側傾斜部とを有し、前記増圧板の端部が前記後側傾斜部に摺動することで、前記接圧付与部を前記底壁側に変位させることとしても良い。
このような構成にすると、増圧板の雌側本体部の内部への挿入時、増圧板の端部が接圧付与部の後側傾斜部に当たって接圧付与部を底壁側に押し下げることで、接点部を底壁側に変位させて雄端子に付与する接圧を高い状態にすることができる。
【００１０】
また、前記増圧板の底面は、後方に向けてテーパー状をなしており、前記接圧付与部は、前記雄端子に接触する接点部と、前記接点部から前方に向けて上方に傾斜する前側傾斜部とを有しており、前記増圧板の前記底面が前記接圧付与部の前記前側傾斜部の先端部に摺動することで、前記接圧付与部を前記底壁側に変位させることとしても良い。
このような構成にすると、接圧付与部の底面のテーパー状の部分が接圧付与部の前側傾斜部の先端に当たって接圧付与部を底壁側に押し下げることで、接点部を底壁側に変位させて雄端子に付与する接圧を高い状態にすることができる。
【発明の効果】
【００１１】
本明細書に開示される雌端子によれば、端子同士の接続信頼性を確保しつつ、メッキ処理のコストの増加を抑えることができる。
【図面の簡単な説明】
【００１２】
【図１】実施形態１における雌端子の正面図
【図２】図１における雌端子の右側面図
【図３】図１における雌端子のＡ−Ａ断面図
【図４】実施形態１における雄端子が嵌合した状態の雌端子の正面図
【図５】図４における増圧板挿入前の雌端子の右側面図
【図６】図４における増圧板挿入前の雌端子のＢ−Ｂ断面図
【図７】図４における増圧板挿入後の雌端子の右側面図
【図８】図４における増圧板挿入後の雌端子のＢ−Ｂ断面図
【図９】実施形態２における雌端子の正面図
【図１０】図９における雌端子の右側面図
【図１１】図９における雌端子のＣ−Ｃ断面図
【図１２】実施形態２における雄端子が嵌合した状態の雌端子の正面図
【図１３】図１２における増圧板挿入前の雌端子の右側面図
【図１４】図１２における増圧板挿入前の雌端子のＤ−Ｄ断面図
【図１５】図１２における増圧板挿入後の雌端子の右側面図
【図１６】図１２における増圧板挿入後の雌端子のＤ−Ｄ断面図
【発明を実施するための形態】
【００１３】
＜実施形態１＞
図１から図８を参照して実施形態１を説明する。
実施形態１の雌端子１０は、銅板金を打ち抜き加工及び曲げ加工することにより形成されている。さらに、加工された雌端子１０に対して、銀等でメッキ処理が施されている。雌端子１０は、図３に示すように、箱状の雌側本体部１２と、雌側本体部１２の内部に挿入される増圧板３０と、雌側本体部１２の後方に設けられた電線接続部４０とを備えている。雌端子１０は、雄端子５０と嵌合される。
【００１４】
雄端子５０は、板金を打ち抜き加工及び曲げ加工することにより形成されている。さらに、加工された雄端子５０に対して、銀等でメッキ処理が施されている。雄端子５０は、図６に示すように、板状をなす雄側本体部５２を有している。
【００１５】
雌端子１０及び雄端子５０は、図示しないものの、雌ハウジング及び雄ハウジングにそれぞれ収容される。以降の説明では、雌端子１０の雄端子５０との嵌合方向を前方、雌側本体部１２の底壁２１から天井壁１４に向かう方向を上方とする。
【００１６】
箱状の雌側本体部１２は、前後方向に開口している。雌側本体部１２の内部の上方にある天井壁１４は、雄側本体部５２に接圧を付与する接圧付与部１６を備えている。
【００１７】
本実施形態における接圧付与部１６は、図１に示すように、雌側本体部１２への雄端子５０の挿入方向と交差する方向に等間隔に設けられた３つの接触片とされている。接圧付与部１６は、図３に示すように、雌側本体部１２と一体となっている。接圧付与部１６は、天井壁１４の後端部から、天井壁１４と連なる基端部１７を介して、前方に延びて片持ち状に形成されている。接圧付与部１６は、雄側本体部５２に接触する接点部１８と、天井壁１４に連なる基端部１７と、接点部１８と基端部１７とを接続する後側傾斜部１９と、接点部１８から前方に向けて上方に傾斜する前側傾斜部２０とを有している。雌側本体部１２の内部に雄側本体部５２が挿入されると、図６に示すように、接圧付与部１６の接点部１８が雄側本体部５２に接触することとなる。接圧付与部１６の接圧は、雄側本体部５２を雌側本体部１２の内部に挿入する際、接点部１８と雄側本体部５２との摺動により雌側本体部１２及び雄側本体部５２に施されたメッキが摩耗しない程度の接圧に調整されている。
【００１８】
雌側本体部１２の底壁２１には、雄側本体部５２と接触する底壁接点部２２が設けられている。底壁接点部２２は、図１に示すように、３つの接点部１８のうち両端の接点部１８に対応する位置に、底壁２１から上方に突出する形で、ビード状に形成され、図３に示すように、雄側本体部５２と接触する。
【００１９】
増圧板３０は、図３に示すように、板状をなす板本体部３２と、押当部３４とを備えている。増圧板３０は、金属板を打ち抜き加工及び曲げ加工して作られており、雌側本体部１２とは別体となっている。押当部３４は、前端部を下方に直角に折り曲げることで形成されている。板本体部３２の端部（押当部３４とは反対側の端部）３３には、Ｒ加工が施されている。増圧板３０は、雌側本体部１２の内部の天井壁１４と、接圧付与部１６との間に挿入されている。また、増圧板３０は、端部３３と後側傾斜部１９とが接触しない位置まで、雌側本体部１２の内部に挿入されている。
【００２０】
電線接続部４０は、底壁２１の後端から後方に突出して形成されている。電線接続部４０には、図示しない電線が接続されており、雌端子１０と電線とは電気的に導通している。
【００２１】
次に、実施形態１の作用について説明する。
図６に示すように、雄端子５０の雄側本体部５２を雌端子１０の雌側本体部１２の内部に挿入して、雄端子５０と雌端子１０とを嵌合する。雄端子５０と雌端子１０との嵌合時、雄端子５０の雄側本体部５２が、接圧付与部１６の接点部１８及び底壁接点部２２に摺動しながら、雄端子５０は雌側本体部１２の内部に挿入されて行く。上述の通り、接圧付与部１６の接圧は、メッキが摩耗しない程度の接圧に調整されているので、雄側本体部５２及び雌側本体部１２の内部に施されたメッキは摩耗することなく、雄側本体部５２を雌側本体部１２の内部に挿入することができる。また、雄端子５０を雌側本体部１２の内部に挿入する際の挿入力が低減することで、端子挿入作業性を向上させることができる。
【００２２】
図８に示すように、雄側本体部５２を雌側本体部１２の内部に挿入後、増圧板３０の押当部３４を雄側本体部５２の挿入方向に押して、増圧板３０を雌側本体部１２の内部に挿入する。増圧板３０の雌側本体部１２の内部への挿入時、板本体部３２の端部３３が接圧付与部１６の後側傾斜部１９に摺動しながら、接圧付与部１６は下方に変位する。これにより、接圧付与部１６が雄側本体部５２に付与する接圧が増圧され、雄端子５０の雄側本体部５２には、増圧された接圧付与部１６によって高い接圧が付与される。この状態で雄端子５０と雌端子１０が通電される。雌雄両端子１０、５０に振動が加えられると、雄側本体部５２との接点部１８も揺れ動くこととなるが、上述の通り、接圧付与部１６には雄側本体部５２に高い接圧が付与されているので、雄端子５０と雌端子１０との電気的な接続が途切れることなく、持続されることとなる。このようにして、雄端子５０と雌端子１０との間で振動等の影響により接続不良が起きることを防ぐことができる。
【００２３】
次に、雄端子５０を雌側本体部１２の内部から離脱させるには、先ず増圧板３０を引き抜く。これによって、接圧付与部１６が天井壁１４側に変位し、接圧付与部１６が雄側本体部５２に付与する接圧が減圧される。この状態で雄端子５０を雌側本体部１２の内部から離脱すると、雄側本体部５２及び雌側本体部１２の内部に施されたメッキが摩耗することなく、雄端子５０を雌側本体部１２の内部から離脱できる。
【００２４】
以上のように実施形態１によれば、増圧板３０の挿入前は、接圧付与部１６は底壁２１側に変位されていないため、雄端子５０は、接圧付与部１６が雄端子５０に付与する接圧が低い状態又は接圧が無い状態で、雌側本体部１２の内部に挿入される。そのため、雄端子５０の雌側本体部１２の内部への挿入時に、雄端子５０が接圧付与部１６に摺動して雄端子５０及び雌端子１０に施されたメッキが摩耗することを防ぐことができる。また、雄端子５０を雌側本体部１２の内部に挿入する際の挿入力が低減することで、端子挿入の作業性を向上させることができる。
また、雄端子５０を雌側本体部１２の内部に挿入後に増圧板３０を雌側本体部１２の内部に挿入することで、接圧付与部１６を底壁２１側に変位させて雄端子５０に付与する接圧を高い状態にすることができる。よって、振動等により雄端子５０と雌端子１０との間で接続不良が起きることを防ぐことができる。
また、雄端子５０を雌側本体部１２の内部から離脱させる場合は、雄端子５０の離脱開始前に増圧板３０を雌側本体部１２の天井壁１４と接圧付与部１６との間から引き抜くことで、雄端子５０に付与する接圧が低い状態又は接圧が無い状態にしておき、もって雄端子５０の離脱時に雄端子５０が接圧付与部１６に摺動して雄端子５０及び雌端子１０に施されたメッキが摩耗することを防ぐことができる。
【００２５】
また、増圧板３０が前方から挿入されるようにしたから、雄端子５０が保持された雄ハウジングを雌端子１０が保持された雌ハウジングに嵌合させる作業に続けて増圧板３０の挿入を行うことができる。また、雌側本体部１２と接圧付与部１６が一体となるので、雌端子１０のコストの削減ができる。
【００２６】
また、増圧板３０の雌側本体部１２の内部への挿入時、増圧板３０の端部３３が接圧付与部１６の後側傾斜部１９に当たって接圧付与部１６を底壁２１側に押し下げることで、接点部１８を底壁２１側に変位させて雄端子５０に付与する接圧を高い状態にすることができる。
【００２７】
＜実施形態２＞
次に、実施形態１の増圧板３０の形状を変更した実施形態２について、図９から図１６を参照して説明する。
図１１に示すように、実施形態２の増圧板１３０は、挿入方向に向けて先細りとなるように、テーパー状に加工されたテーパー部１３１を備えている。図１４に示すように、増圧板１３０は、接圧付与部１１６が底壁１２１側に変位しない位置まで、接圧付与部１１６の内部に挿入されている。その他の部位については、実施形態１と同様のため、説明を省略する。
【００２８】
次に、実施形態２の作用について説明する。
図１４に示すように、雄端子１５０の雄側本体部１５２を雌端子１１０の雌側本体部１１２の内部に挿入する。次に、図１６に示すように、増圧板１３０を、雄側本体部１５２の挿入方向に押し込む。この時、増圧板１３０のテーパー部１３１が、接圧付与部１１６の前側傾斜部１２０の先端部に摺動しながら、接圧付与部１１６は底壁１２１側に変位していく。これによって、接圧付与部１１６の接点部１１８が雄側本体部１５２に付与する接圧が増圧される。
【００２９】
以上のように実施形態２によれば、接圧付与部１１６のテーパー部１３１が接圧付与部１１６の前側傾斜部１２０の先端に当たって接圧付与部１１６を底壁１２１側に押し下げることで、接点部１１８を底壁１２１側に変位させて雄端子１５０に付与する接圧を高い状態にすることができる。
【００３０】
＜他の実施形態＞
本明細書によって開示される技術は上記記述及び図面によって説明した実施形態に限定されるものではなく、例えば次のような種々の態様も含まれる。
（１）実施形態１では、増圧板３０の形状は板状としていたが、増圧板３０を天井壁１４と接圧付与部１６との間に挿入することで、接圧付与部１６を底壁２１側に変位させることができるものであれば、形状は何でも良い。例えば、増圧板の形状が棒状であっても良いし、又は増圧板の端部が球状となっていても良い。
（２）実施形態１では、接圧付与部１６は雌側本体部１２と一体としていたが、別体としても良い。
（３）実施形態１では、接圧付与部１６は、雌側本体部１２の天井壁１４の後端部から前方に延びて片持ち状に形成されていたが、雄端子５０に天井壁１４側から接触して接圧を付与するものではれば何でも良い。例えば、又は、接圧付与部は、雌側本体部の天井壁の前端部から後方に延びて片持ち状に形成されても良い。さらに、それに伴い増圧板を後方から雌側本体部の内部に挿入することとしても良い。
（４）実施形態１では、増圧板３０の挿入前における接圧付与部１６の接圧は、端子のメッキが摩耗しない程度の接圧としていたが、接圧を付与していなくても良い。
【符号の説明】
【００３１】
１０…雌端子
１２…雌側本体部
１４…天井壁
１６…接圧付与部
１７…基端部
１８…接点部
１９…後側傾斜部
２０…前側傾斜部
２１…底壁
２２…底壁接点部
３０…増圧板
３２…板本体部
３３…端部
３４…押当部
４０…電線接続部
５０…雄端子
５２…雄側本体部
１１０…雌端子
１１２…雌側本体部
１１６…接圧付与部
１１８…接点部
１２０…前側傾斜部
１２１…底壁
１３０…増圧板
１３１…テーパー部
１５０…雄端子
１５２…雄側本体部
【図１】
2018181612.tif 000003
【図２】
2018181612.tif 000004
【図３】
2018181612.tif 000005
【図４】
2018181612.tif 000006
【図５】
2018181612.tif 000007
【図６】
2018181612.tif 000008
【図７】
2018181612.tif 000009
【図８】
2018181612.tif 000010
【図９】
2018181612.tif 000011
【図１０】
2018181612.tif 000012
【図１１】
2018181612.tif 000013
【図１２】
2018181612.tif 000014
【図１３】
2018181612.tif 000015
【図１４】
2018181612.tif 000016
【図１５】
2018181612.tif 000017
【図１６】
2018181612.tif 000018